(57)【要約】  真空掃除機（１）が提供される。真空掃除機（１）は、ノズル（４０）の取付けのためのプロファイルノズル端部（２１）と第１のハンドル（５０）の取付けのためのプロファイルハンドル端部（２２）との間で延在するプロファイル（２３）と、プロファイル（２３）に取り付けられたハウジング（１０）であって、空気流を発生させるためのモータファンユニット（１２）と、ハウジング空気出口（１１）と、ハウジング空気入口（１４）とを備えるハウジング（１０）と、第１のプロファイル端部（２１）からハウジング空気出口（１１）までの空気流を可能にするための、プロファイルノズル端部（２１）からハウジング空気入口（１４）を経由してハウジング空気出口（１１）まで延在する空気流チャンネル（６０）とを備える。ハウジング（１０）には、真空掃除機（１）を移動させるためにユーザによって操作可能である第２のハンドル（２０）が配置されている。
2021506355.tif 000002
【特許請求の範囲】
【請求項１】
−  ノズルの取付けのためのプロファイルノズル端部と第１のハンドルの取付けのためのプロファイルハンドル端部との間で延在するプロファイルと、
−  前記プロファイルに取り付けられたハウジングであって、空気流を発生させるためのモータファンユニットと、ハウジング空気出口と、ハウジング空気入口とを備える、ハウジングと、
−  前記第１のプロファイル端部から前記ハウジング空気出口までの空気流を可能にするための、前記プロファイルノズル端部から前記ハウジング空気入口を経由して前記ハウジング空気出口まで延在する空気流チャンネルと
を備える、真空掃除機において、
前記ハウジングには、前記真空掃除機を移動させるためにユーザによって操作可能である第２のハンドルが配置されている、
真空掃除機。
【請求項２】
前記ハウジングが、前記プロファイルの上側に配置されている、
請求項１に記載の真空掃除機。
【請求項３】
前記ハウジングが、前記プロファイルに対して移動可能に取り付けられるように配置されており、
前記ハウジングが、前記プロファイルの前記長さの少なくとも一部に沿って移動可能である、
請求項１に記載の真空掃除機。
【請求項４】
前記第２のハンドルが、前記プロファイルに沿って前記ハウジングを移動させるためにユーザによって操作可能であるように配置されている、
請求項１〜３のいずれか一項に記載の真空掃除機。
【請求項５】
前記プロファイルの内側で前記プロファイルハンドル端部に取り付けられた定荷重ばね
をさらに備え、
前記定荷重ばねが、前記ハウジングまで伸長される一端に取り付けられており、
前記伸長される一端が、前記ハウジングとともに移動する、
請求項３又は４に記載の真空掃除機。
【請求項６】
前記プロファイルが、第１のプロファイル部と、第２のプロファイル部とを備え、
前記第２のプロファイル部が、前記第１のプロファイル部を少なくとも部分的に取り囲むように配置され、
前記第１のプロファイル部が、前記プロファイルの長さの調整のために、前記第２のプロファイル部内に摺動可能である、
請求項１〜５のいずれか一項に記載の真空掃除機。
【請求項７】
前記プロファイルが、前記空気流が前記ハウジング空気入口に入る少なくとも１つの開口を備える、
請求項１〜６のいずれか一項に記載の真空掃除機。
【請求項８】
前記プロファイルが、前記少なくとも１つの開口のある部分までの前記空気流チャンネルがハウジング空気入口と位置が合うことを可能とするように配置された少なくとも１つの開口カバー手段を備える、
請求項１〜７のいずれか一項に記載の真空掃除機。
【請求項９】
前記開口カバー手段が、前記ハウジング空気入口と位置が合っていない前記少なくとも１つの開口の任意の残りの部分を塞ぐように配置されている、
請求項８に記載の真空掃除機。
【請求項１０】
前記定荷重ばねが、前記ハウジングの上流に位置している前記プロファイルの前記少なくとも１つの開口を覆うように構成されている、
請求項５又は９に記載の真空掃除機。
【請求項１１】
前記第１のハンドルが、前記プロファイルハンドル端部に枢動可能に取り付けられるように配置されている、
請求項１〜１０のいずれか一項に記載の真空掃除機。
【請求項１２】
前記第１のハンドルが、ファン効果及びノズル機能のうちの少なくとも１つを制御するように構成された制御装置を備える、
請求項９に記載の真空掃除機。
【請求項１３】
前記第２のハンドルが、前記プロファイルの長手方向軸に垂直な方向に延在するように配置されている、
請求項１〜１２のいずれか一項に記載の真空掃除機。
【請求項１４】
前記第２のハンドルが弓状形状を有する、
請求項１〜１３のいずれか一項に記載の真空掃除機。
【請求項１５】
前記第２のハンドルが、前記ハウジングの上側に配置されている、
請求項１〜１４のいずれか一項に記載の真空掃除機。
【請求項１６】
前記第２のハンドルが、前記ハウジングの上側に配置されている、
請求項１〜１５のいずれか一項に記載の真空掃除機。
【請求項１７】
前記第２のハンドルが、前記第１のプロファイル部及び前記第２のプロファイル部の相対的な互いの係止を制御する、且つ／又は、前記係止を解除するように配置された制御機構を備える、
請求項１〜１６のいずれか一項に記載の真空掃除機。
【請求項１８】
前記第２のハンドルが、ファン効果及びノズル機能のうちの少なくとも１つを制御するように構成された制御機構を備える、
請求項１〜１７のいずれか一項に記載の真空掃除機。
【請求項１９】
前記第２のハンドルが、前記ハウジング及び前記プロファイルの相対的な互いの係止を制御する、且つ／又は、前記係止を解除するように配置された制御機構を備える、
請求項１〜１８のいずれか一項に記載の真空掃除機。
【請求項２０】
前記ハウジングが塵分離装置を備える、
請求項１〜１９のいずれか一項に記載の真空掃除機。
【発明の詳細な説明】
【技術分野】
【０００１】
本発明は、真空掃除機に関する。
【背景技術】
【０００２】
さまざまな種類のスティック型真空掃除機が知られている。このタイプの真空掃除機は一般に、一端のノズルと他端のハンドルとを有する細長い本体を有する。ファン及びフィルタを有するハウジングが、細長い本体に取り付けられてもよく、本体と略平行に延在してもよい。そのようなハウジングは、ファン及びモータ、集塵機、フィルタ、及び他の必要な部品を備えてもよい。
【０００３】
手持ち型真空掃除機を用いると、ユーザは比較的容易且つ効率的な方法で塵及び屑を除去することが可能になり、単一のハンドグリップで操作することができる。
【０００４】
いくつかのスティック型真空掃除機では、ハウジングは、細長い本体から取り外し可能であり、細長い本体から分離された手持ち型真空掃除機として単独で使用してもよい。これは、たとえば、テーブル及び同様のものからパン屑を吸い上げるために有用となり得る。これにより、ユーザは本体のノズルが適合しない表面に到達することも可能になる。欧州特許第１９６９９８８号明細書では、そのような真空掃除機の例が開示されている。
【０００５】
多くの縦型／スティック型真空掃除機の欠点は、ベッド、ソファなどの下を掃除機がけすることが難しいことであり、それは、ノズルが届き得る距離をハウジングが制限することがあるためである。換言すれば、ハウジングの寸法がベッド／ソファと掃除する床との間の高さより大きいとき、ハウジングはベッド／ソファにぶつかることがある。
【０００６】
さらに、壁、棚、及び天井などの特定の高さより上の面上で真空掃除機を効率的に使うことが課題であることがあり、それは、手持ち型真空掃除機の設計が一般に、床の清掃に最適化されているためである。
【０００７】
英国特許第１１５１９９０号明細書では、これらの問題又は欠点のうちのいくつかに対処している。英国特許第１１５１９９０号明細書の真空掃除機のハウジングは、異なる位置の間で移動することができる。これによって、ユーザは、低い家具及び同様のものの下の面にアクセスすることができる。英国特許第１１５１９９０号明細書で開示された真空掃除機は、いくつかの用途においては適切に働くが、効率性、融通性、及び人間工学に関して必要な改善は残っている。
【発明の概要】
【発明が解決しようとする課題】
【０００８】
目的は、改善された真空掃除機を提供することである。
【課題を解決するための手段】
【０００９】
本目的は、本発明のある態様において、ノズルの取付けのためのプロファイルノズル端部と第１のハンドルの取付けのためのプロファイルハンドル端部との間で延在するプロファイルと、プロファイルに取り付けられたハウジングであって、空気流を発生させるためのモータファンユニットと、ハウジング空気出口と、ハウジング空気入口とを備える、ハウジングと、第１のプロファイル端部からハウジング空気出口までの空気流を可能にするための、プロファイルノズル端部からハウジング空気入口を経由してハウジング空気出口まで延在する空気流チャンネルとを備える真空掃除機によって達成される。ハウジングには、真空掃除機を移動させるためにユーザによって操作可能である第２のハンドルが配置されている。
【００１０】
ユーザによる真空掃除機の操作時に、ユーザは、第１のハンドル及び第２のハンドルの両方を保持することによって真空掃除機を操作できるので、これは有利である。たとえば、ユーザは、たとえば、壁、テーブル、窓台、又は天井さえ掃除するために、真空掃除機を床から持ち上げてもよい。真空掃除機プロファイルの上端に第１のハンドルのみ備える先行技術の掃除機では、これは、行うことが非常に大変な作業である。第１のハンドル及び第２のハンドルの両方を利用して両手で握ることで、持ち上げ作業は非常に楽になる。
【００１１】
ある実施形態において、ハウジングは、プロファイルの上側に配置されている。プロファイルの下側に配置されたハウジングを有することとは対照的に、これにより、有利なことには、ソファ及びベッドなどの物体の下へより適切に到達することができる。
【００１２】
ある実施形態において、ハウジングは、プロファイルに対して移動可能に取り付けられるように配置されており、ハウジングは、プロファイルの長さの少なくとも一部に沿って移動可能である。有利なことには、ユーザは、床を掃除機がけするとき、ノズルに比較的近い位置にハウジングを移動させてもよく、たとえば、壁、天井、階段などを掃除機がけするときは、第１のハンドル部により近い位置にハウジングを移動させてもよいので、これは、優れた柔軟性を提供する。
【００１３】
別の実施形態において、プロファイルは、第１のプロファイル部と、第２のプロファイル部とを備え、第２のプロファイル部は、第１のプロファイル部を少なくとも部分的に取り囲むように配置され、第１のプロファイル部は、プロファイルの長さの調整のために、第２のプロファイル部内に摺動可能である。有利なことには、第１のプロファイル部が第２のプロファイル部内に摺動可能又は伸縮可能であるので、さらに優れた柔軟性が実現される。ユーザは必要に応じて、プロファイルを伸ばしてもよく、それにより、ユーザは立った姿勢で真空掃除機を使うことができ、たとえば、階段又は同様のところで真空掃除機を使用するときは、プロファイルを縮めてもよい。
【００１４】
一実施形態において、ユーザは、したがって、プロファイルの長さ及び真空掃除機の重心の両方を変えることができる。これにより、真空掃除機は、有利に効率的で、融通のきく、人間工学的な掃除機がけが可能になる。これによりさらに、必要に応じて、真空掃除機は比較的より重くすることが可能になる。これは、真空掃除機が多少の重量を有する強力なモータ及び電池を備えるときに、非常に有用であると判明した。
【００１５】
さらなる実施形態において、プロファイルは、空気流がハウジング空気入口に入る少なくとも１つの開口を備える。ハウジングが異なる位置でプロファイルに移動可能に取り付けられるように配置される場合、複数の開口又は単一の細長い開口が設けられる。
【００１６】
さらに一実施形態において、プロファイルは、ハウジング空気入口が設置される開口のある部分への空気流チャンネルを可能にするように配置される開口カバー手段を備える。いくつかの実施形態によると、開口カバー手段は、複数の開口又は単独の開口の部分の残りを塞ぐように配置される。これは、ノズルのプロファイル端部からハウジングへの効率的な流れ及び強い吸引力を可能にする。開口カバー手段は、より小さい物体が開口で動かなくなることも防ぐことができ、プロファイルの長さに沿ってハウジングを移動させるとき、ユーザが開口で指をつめることを防ぐことができる。
【００１７】
さらなる実施形態において、真空掃除機は、プロファイルの内側でプロファイルハンドル端部に取り付けられた定荷重ばねをさらに備え、定荷重ばねは、ハウジングまで伸長される一端において取り付けられており、前記伸長される一端は、ハウジングとともに移動する。有利なことには、定荷重ばねは、ハウジングに弾性支持を提供して、ハウジングを所定の位置に保持することを容易にし、それゆえ、ハウジングがノズルの方へ下向きに制御不能に移動することを防止する。
【００１８】
さらに、ある実施形態において、伸長されているばねの一部は、有利なことには、ハウジングの空気入口と位置が合っていない、プロファイルの任意の開口のためのカバー手段として働いてもよい。さらなるカバー手段が、ハウジングの下流に位置する任意の開口を覆うために、ハウジングの下流に位置するプロファイルの一部に使用されてもよい。オープンプロファイルを使用する場合、ハウジング空気入口と位置が合っていない単一の細長い開口は、ハウジングの上流の定荷重ばね、及び、ハウジングの下流のさらなるカバー手段によって覆われる。
【００１９】
ある実施形態において、第１のハンドルは、プロファイルハンドル端部に枢動可能に取り付けられるように配置されている。これにより、有利なことには、ユーザは自身の好みに従ってハンドル位置を調整することが可能になる。ハンドルはまた、真空掃除機の長さを伸ばす又は縮めるために使用してもよい。
【００２０】
一実施形態によると、ハンドルは、ファン効果及びノズル機能の少なくとも１つの制御のための制御装置を備える。これにより、空気の流量を有利に調整することができる。ユーザはまた、制御装置を介して、ノズルライト、ブラシローラなどの１つ又は複数のノズル機能を効率的に制御することができる。
【００２１】
全体として、本明細書において別に明確に定義しない限り、特許請求の範囲において用いられるすべての用語は当該技術分野における通常の意味に解釈される。別に明確に記載しない限り、「１つの要素、機器、構成要素、手段など」に対する言及はすべて、要素、機器、構成要素、手段などの少なくとも１つの具体例についての言及であると解釈される。
【００２２】
本明細書の実施形態の、その特定の特徴及び利点を含むさまざまな態様は、以下の詳細説明及び添付図面から容易に理解されるであろう。
【図面の簡単な説明】
【００２３】
【図１】図１は、一実施形態による真空掃除機の斜視図を示す。
【図２ａ】ハウジングが２つの異なる位置にある別の実施形態による図１の真空掃除機を示す。
【図２ｂ】ハウジングが２つの異なる位置にある別の実施形態による図１の真空掃除機を示す。
【図３ａ】伸縮式プロファイルが配置されている別の実施形態による、図１の真空掃除機を示す。
【図３ｂ】伸縮式プロファイルが配置されている別の実施形態による、図１の真空掃除機を示す。
【図４ａ】図４ａは、縮めたときの、一実施形態による真空掃除機の側面図を示す。
【図４ｂ】図４ｂは、引き出したときの、ハウジングが第１の位置にある、図４ａの真空掃除機を示す。
【図４ｃ】図４ｃは、ハウジングが第２の位置にある、図４ｂの真空掃除機を示す。
【図５ａ】図５ａは、図４ａの真空掃除機の断面を示す。
【図５ｂ】図５ｂは、図４ｂの真空掃除機の断面を示す。
【図５ｃ】図５ｃは、図４ｃの真空掃除機の断面を示す。
【図６】ある実施形態による、真空掃除機が備える定荷重ばねを示す。
【図７】ある実施形態による、真空掃除機に実装されている定荷重ばねを示す。
【発明を実施するための形態】
【００２４】
ここで、本明細書の実施形態は、実施形態が示される添付図面を参照してより完全に説明される。よく知られている機能又は構成は、簡潔さ及び／又は明瞭さのために、必ずしも詳細に記載されるわけではない。
【００２５】
図１は、ある実施形態による真空掃除機１を斜視図で示す。この特定の種類の真空掃除機は、縦型掃除機又はスティック型掃除機として知られている。真空掃除機は、充電可能なバッテリ、電気ケーブル、又はその２つの組合せによって電力を供給されてもよい。
【００２６】
真空掃除機１はハウジング１０を備える。ハウジング１０は、真空掃除機１のいくつかの部品を収容するための中空体又は中空構造として作られてもよい。ハウジング１０は、空気流を発生させるためのモータファンユニットを備えてもよい。概略の空気流及び概略のモータファンユニットは、図５ａ〜５ｃに示される。ハウジング１０はまた、図５ａ〜５ｃにも示される、ハウジング空気出口１１とハウジング空気入口とを備える。図１において、ハウジング１０は、プロファイル２３の上側に配置されている。有利なことには、これにより、ソファ及びベッドなどの物体の下へより適切に到達することができる。
【００２７】
真空掃除機１は、ハウジング１０が取り付けられるプロファイル２３をさらに備える。プロファイル２３は、ノズル４０の方の下流に位置するプロファイルノズル端部２１と、掃除対象面上に真空掃除機を移動させるためにユーザによって保持される第１のハンドル５０の方の上流に位置するプロファイルハンドル端部２２との間に延在する。ハンドル５０は、ファン効果、ノズル機能、又は、調整可能である必要があることがある任意の他の真空掃除機機能のうちの少なくとも１つの制御のための制御装置５１、たとえば、押しボタン又はスライダを任意選択的に備えてもよい。よって、制御装置５１は、真空掃除機１をオン／オフするために、ユーザが操作することができる。
【００２８】
ある実施形態において、第２のハンドル２０は、ファン効果及びノズル機能のうちの少なくとも１つを制御するように配置された制御機構５２を備える。よって、第１のハンドル５０の制御装置５１及び第２のハンドル２０の制御機構５２はどちらも、真空掃除機をオン／オフにするなど、真空掃除機１の機能を制御するために使用することができる。
【００２９】
プロファイル２３は、空気流が第１のプロファイル端部２１からハウジング空気入口へと流れて、ハウジング空気出口を通って出ることを可能にするための、（ハウジング１０の下に配置された）少なくとも１つの開口を備える。プロファイル２３は、細長いプロファイルなどと呼ばれてもよい。たとえば、可撓性カバーストリップの形態のカバー手段２６が、プロファイル２３の任意の開口を覆うために使用されてもよい。
【００３０】
先行技術の縦型真空掃除機とは対照的に、図１の実施形態の真空掃除機１は、ハウジング１０に取り付けられた第２のハンドル２０をさらに備える。
【００３１】
ユーザによる真空掃除機１の操作時に、ユーザは、第１のハンドル５０及び第２のハンドル２０の両方を保持することによって真空掃除機１を操作することができるので、これは有利である。たとえば、ユーザは、たとえば、壁、テーブル、窓台、階段、又は天井さえ掃除するために、真空掃除機１を床から持ち上げてもよい。第１のハンドル５０のみ備える先行技術の掃除機では、これは、行うことが非常に大変な作業である。第１のハンドル５０及び第２のハンドル２０の両方を利用して両手で握ることで、持ち上げ作業は非常に楽になる。
【００３２】
図１に示される実施形態において、第２のハンドル２０は、プロファイル２３の長手方向軸に垂直な方向に延在するように配置され、弓状形状を有する。多くの異なる適切な形状が、第２のハンドル２０のために想定されてもよい。
【００３３】
図２ａ及び２ｂは、ハウジング１０がプロファイル２３に移動可能に取り付けられるように配置されており、それにより、ハウジング１０が、プロファイル２３に沿って調整可能である別個の段階で又は連続的に、プロファイル２３の長さの少なくとも一部に沿って移動可能である、さらなる実施形態における真空掃除機１を示す。
【００３４】
有利なことには、第２のハンドル２０は、プロファイル２３に沿ってハウジング１０を移動させるために、ユーザによって操作されてもよい。ある実施形態において、第２のハンドル２０の制御機構５２は、プロファイル２３に沿って異なる位置でハウジング１０をプロファイル２３に係止するための、且つ、ハウジング１０をプロファイル２３に対して移動させることを可能にするために係止を解除するための、係止機構（図示せず）を制御するように配置されている。
【００３５】
図２ａにおいて、ハウジング１０は第１の位置Ａに配置され、図２ｂにおいて、ハウジングは第２の位置Ｂに配置されている。第１の位置Ａはノズルに最も近いので、真空掃除機が縦置きに配置されるとき、第１の位置Ａは場合によっては下側又は下流位置と呼ばれてもよく、第２の位置Ｂは場合によっては上側又は上流位置と呼ばれてもよい。
【００３６】
ハウジング１０は、プロファイル２３の長さに沿った複数の異なる位置に配置できることが理解される。第１の位置Ａ及び第２の位置Ｂは、ハウジング位置の例としての役割を果たしてもよい。いくつかの実施形態において、ハウジング１０は、プロファイル２３の長さに沿った、たとえば２〜６箇所の別個の位置に配置されてもよい。いくつかの実施形態において、ハウジング１０は、自由に摺動可能で、プロファイル２３の長さに沿った任意の位置に取り付け可能であるように配置されてもよい。ハウジング１０は、任意の種類のラッチによって選択位置に固定されてもよく、ラッチが開けられたときに解放されてもよい。
【００３７】
有利なことには、ハウジング１０に取り付けられた第２のハンドル２０は、プロファイル２３に沿ったハウジングの移動を容易にする。
【００３８】
図３ａ及び図３ｂは、（移動可能に取り付けられたハウジング１０と組み合わされてもよく、又は、組み合わされなくてもよい）さらなる実施形態を示し、プロファイル２３は、第１のプロファイル部２３ａと第２のプロファイル部２３ｂとを備える。
【００３９】
第２のプロファイル部２３ｂは、第１のプロファイル部２３ａを少なくとも部分的に取り囲むように配置される。図３ａ及び３ｂに示される実施形態において、第２のプロファイル部２３ｂは、真空掃除機１のノズル４０の最も近くに示される。他の実施形態においては、第１のプロファイル部２３ａがノズル４０に最も近い。換言すれば、他のプロファイル部が摺動されてもよい、より大きい寸法を有するプロファイル部は、上側又は下側位置に選択的に配置することができる。第１のプロファイル部２３ａは、プロファイル２３の長さの調整のために、第２のプロファイル部２３ｂに対して摺動可能又は伸縮可能である。第１のプロファイル部２３ａ及び第２のプロファイル部２３ｂは、したがって伸縮式のプロファイル２３を一緒に形成する。真空掃除機１は、第１のプロファイル部２３ａ及び第２のプロファイル部２３ｂを相対的に互いに係止するための係止機構又は同様のもの（図示せず）を備えてもよい。
【００４０】
ある実施形態において、第２のハンドル２０の制御機構５２は、第１のプロファイル部２３ａ及び第２のプロファイル部２３ｂを相対的に互いに係止するための、且つ／又は、係止を解除するための係止機構を制御するように配置されている。さらに、前述のように、第２のハンドル２０の制御機構５２は、プロファイル２３に沿った異なる位置でのプロファイル２３へのハウジング１０の係止を制御するために、且つ、ハウジング１０をプロファイル２３に対して移動させることを可能にするために係止を解除するために、配置されてもよい。
【００４１】
図３ａ及び３ｂにおいて先に示された種類であるが、わずかに異なるハウジング形状を有する真空掃除機１を示す図４ａにおいて、真空掃除機１は縮められ、第１のプロファイル部２３ａは、広い範囲で第２のプロファイル部２３ｂに取り囲まれている。ハンドル５０は折りたたまれた位置にある。この真空掃除機構成は、たとえば、階段の掃除機がけに好適であることがある。
【００４２】
図４ｂにおいて、真空掃除機１は引き出され、第１のプロファイル部２３ａの少しの部分のみが、第２のプロファイル部２３ｂによって取り囲まれている。ハンドル５０は延長位置にある。ハウジング１０は下側位置Ａにある。たとえば、比較的低重心が好まれることがある場合の床の掃除機がけの間、この真空掃除機構成は好適となり得る。
【００４３】
図４ｃにおいて、真空掃除機１は引き出され、第１のプロファイル部２３ａの少しの部分のみが、第２のプロファイル部２３ｂによって取り囲まれている。ハンドル５０は開位置にある。ハウジング１０は上側位置Ｂにある。たとえば、壁、高い棚、又は天井を掃除機がけするときなど、ノズル４０がハウジング１０より上にある状況の掃除機がけの間、この真空掃除機構成は好適となり得る。ハウジング１０が第２の位置Ｂにあるので、真空掃除機のノズル４０を上方に動かすと、ハウジング１０は比較的低くなる。それゆえ、これらの掃除機がけ作業中も、比較的低い重心が実現される。さらに、この真空掃除機構成は、ベッド、ソファなどの低い家具の下での掃除機がけに有利となり得る。ハウジング１０が第１の位置Ａにあるので、ノズル４０は、ハウジング１０に妨げられることなく、ベッドの下で遠くに到達できる。
【００４４】
特に、図４ｂ及び４ｃで分かるように、ハウジング１０に取り付けられた第２のハンドル２０は、ユーザが真空掃除機１を操作するのに非常に有益である。
【００４５】
図５ａ、５ｂ、及び５ｃに、真空掃除機１の概略断面図が示されている。ハウジング１０は、モータファンユニット１２と、１つ又は複数のフィルタ１３と、ハウジング空気入口１４とを備えてもよい。ハウジング１０は、集塵バッグ、サイクロンセパレータ、又はフィルタなどの塵分離装置１９を備えてもよい。モータファンユニットは負圧を発生させることが可能であり、それによって、ノズル４０の空気入口６１からプロファイルのハウジング空気入口１４及び開口２５を経由してハウジング空気出口１１まで空気流６０を流す。
【００４６】
図５ａは、第２のハンドル２０を有するハウジング１０と、第１のプロファイル部２３ａと、第２のプロファイル部２３ｂとを有する、図４ａに示された真空掃除機構成の概略断面図である。図５ｂは、図４ｂに示された真空掃除機構成の概略断面図である。図５ｃは、図４ｃに示された真空掃除機構成の概略断面図である。
【００４７】
ハウジングがプロファイル２３（或いは、第１のプロファイル部２３ａ又は第２のプロファイル部２３ｂ）に移動可能に取り付けられた実施形態において、プロファイル２３は一般に、ハウジング１０がプロファイルに沿って移動したとき、空気流がハウジング空気入口１４に入ることができる複数の開口を備える。或いは、プロファイル２３はオープンプロファイルであり、ハウジング１０に面しているプロファイル２３の部分は開いている、すなわち、プロファイルには、単一の細長い開口２５が配置されている。
【００４８】
図６及び７は、ある実施形態による定荷重ばね２８を示す。図７は、真空掃除機１の上部の断面図を示す。図７に示されるように、定荷重ばね２８は、プロファイル２３の内側でプロファイルハンドル端部２２に取り付けられている。
【００４９】
定荷重ばね２８は、ハウジング１０まで伸長される一端２９において取り付けられている。有利なことには、定荷重ばね２８は、ハウジング１０に弾性支持を提供して、ハウジング１０を所定の位置に保持することを容易にし、それゆえ、ハウジング１０がノズルの方へ下向きに制御不能に移動することを防止する。
【００５０】
さらに、ある実施形態において、伸長されているばね２８の一部２６は、有利なことには、ハウジング１０の空気入口１４と位置が合っていない、プロファイル２３の任意の開口のためのカバー手段として働いてもよい。さらなるカバー手段（図示せず）が、ハウジングの下流に位置する任意の開口２５を覆うために、ハウジング１０の下流に位置するプロファイル２３の一部のために使用されてもよく、さらなるカバー手段は、たとえば、ハウジング１０の空気入口１４と位置が合っていない任意の開口２５を選択的に塞ぐための可撓性カバーストリップの形状を有する。
【００５１】
オープンプロファイルを使用する場合、ハウジング空気入口１４と位置が合っていない単一の細長い開口は、ハウジング１０の上流での定荷重ばね２８、及び、ハウジング１０の下流の前記さらなるカバー手段によって覆われる。
【００５２】
ばね２８は、図１〜図５ｃに関連して説明された実施形態のうちの任意の１つにおいてさらに実装されてもよい。
【００５３】
ハウジング、プロファイル装置、ノズル、及びハンドルは、少なくとも部分的に、プラスチック、金属、又は任意の他の好適な材料から作られてもよい。
【００５４】
本発明を主としていくつかの実施形態に関連して上記に説明した。しかしながら、当業者であれば容易に分かるように、添付の特許請求の範囲で定義された本発明の範囲内において、上で開示されたもの以外の実施形態も同様に可能である。
【図１】
2021506355.tif 000003
【図２ａ】
2021506355.tif 000004
【図２ｂ】
2021506355.tif 000005
【図３ａ】
2021506355.tif 000006
【図３ｂ】
2021506355.tif 000007
【図４ａ】
2021506355.tif 000008
【図４ｂ】
2021506355.tif 000009
【図４ｃ】
2021506355.tif 000010
【図５ａ】
2021506355.tif 000011
【図５ｂ】
2021506355.tif 000012
【図５ｃ】
2021506355.tif 000013
【図６】
2021506355.tif 000014
【図７】
2021506355.tif 000015
【国際調査報告】
2021506355.tif 000016
2021506355.tif 000017
2021506355.tif 000018